(57)【要約】【課題】  取付位置の変更が可能で、取付作業性に優れたライセンスプレートの取付構造を提供する。【解決手段】  バンパー１に、クリップ部材を備えた取付手段11を装着する取付部３を設ける。この取付部３の周囲に複数の取付手段用挿入開口部６，７を設ける。複数の挿入開口部６，７のいずれかから取付部３に取付手段11を装着し、この取付部３に装着した取付手段11に固定ねじを螺着してライセンスプレートを取り付ける。複数の挿入開口部６，７のいずれかから取付部３にクリップ部材12を装着することにより、取付部３に設けるねじ部13の高さ位置が調整可能となる。【選択図】        図３
2006015927.tif 000002
【特許請求の範囲】
【請求項１】
ライセンスプレートをバンパーに取り付けるライセンスプレートの取付構造において、前記バンパーに、取付手段を装着する取付部を設けると共に、この取付部の周囲に複数の取付手段用挿入開口部を設け、前記複数の挿入開口部のいずれかから前記取付部に前記取付手段を装着し、この取付部に装着した取付手段に固定ねじを螺着して前記ライセンスプレートを取り付けてなることを特徴とするライセンスプレートの取付構造。
【請求項２】
前記挿入開口部を上下方向で異なる位置に複数設けたことを特徴とする請求項１記載のライセンスプレートの取付構造。
【請求項３】
前記取付手段は、クリップ部材にねじ部を一体に設けてなることを特徴とする請求項１又は２記載のライセンスプレートの取付構造。
【請求項４】
前記取付部には、前記取付手段を位置決めする位置決め手段を設けたことを特徴とする請求項１〜３のいずれか１項に記載のライセンスプレートの取付構造。
【請求項５】
１つの前記挿入開口部に対応して、位置決め位置の異なる複数の前記位置決め手段を設けたことを特徴とする請求項４記載のライセンスプレートの取付構造。
【請求項６】
ライセンスプレートをバンパーに取り付けるライセンスプレートの取付構造において、前記バンパーに、取付手段を装着する取付部を設けると共に、この取付部の周囲に取付手段用挿入開口部を設け、前記挿入開口部から前記取付部に前記取付手段を装着し、この取付部に装着した取付手段に固定ねじを螺着して前記ライセンスプレートを取り付け、前記取付部には、前記取付手段を異なる位置に位置決めする複数の位置決め手段を設けたことを特徴とするライセンスプレートの取付構造。
【発明の詳細な説明】
【技術分野】
【０００１】
本発明は、ライセンスプレートを車両のバンパーに取り付けるライセンスプレートの取付構造に関する。
【背景技術】
【０００２】
従来、この種のものとして、フロントバンパにおいて、前面に固定ねじを挿入できるエンボス部を形成し、同エンボス部の内部に複数のねじ部を有するＪナットを配置し、エンボス部と同じ大きさの目隠しプレートを配置し、エンボス部と同じ大きさの目隠しプレートの裏面に前記Ｊナットに係止できるクリップを一体成形したフロントバンパの取付構造（例えば特許文献１）があり、前記Ｊナットに２つのねじ部を設けることにより、固定ねじの間隔の異なるライセンスプレートを取付可能としている。
【０００３】
また、図１５及び図１６に示すように、ライセンスプレート101をライセンスフレーム102に収納してバンバー103に取り付ける場合、そのバンパー103の取付箇所がライセンスプレート101に対応して形成されているため、ライセンスフレーム102を用いると、該ライセンスプレート101がバンパー103に干渉して取付られないことがある。この場合は、ライセンスフレーム102とバンパー103間にスペーサ104，104を設け、固定ねじ105などにより取付を行う。
【特許文献１】特公平３−５９８５６号公報
【発明の開示】
【発明が解決しようとする課題】
【０００４】
上記従来技術において、前者のフロントバンパの取付構造では、固定ねじの間隔の異なるライセンスプレートを取り付けることができるが、ライセンスプレートの取付位置を調整することはできない。一方、後者の取付構造では、スペーサ104を用いることにより、バンパー103に対して、ライセンスプレート101の前後位置を調整可能とし、バンバー103との干渉の問題を解決できるが、ライセンスフレーム102とバンパー103との間に隙間が発生し、外観を損なう虞があり、また、別部品としてスペーサ104を必要とするから、部品点数が増加し、コストが嵩む面がある。
【０００５】
そこで、本発明は、取付位置の変更が可能で、取付作業性に優れたライセンスプレートの取付構造を提供することを目的とする。
【課題を解決するための手段】
【０００６】
請求項１記載の発明は、ライセンスプレートをバンパーに取り付けるライセンスプレートの取付構造において、前記バンパーに、取付手段を装着する取付部を設けると共に、この取付部の周囲に複数の取付手段用挿入開口部を設け、前記複数の挿入開口部のいずれかから前記取付部に前記取付手段を装着し、この取付部に装着した取付手段に固定ねじを螺着して前記ライセンスプレートを取り付けてなるものである。
【０００７】
また、請求項２の発明は、前記挿入開口部を上下方向で異なる位置に複数設けたものである。
【０００８】
また、請求項３の発明は、前記取付手段は、クリップ部材にねじ部を一体に設けてなるものである。
【０００９】
また、請求項４の発明は、前記取付部には、前記取付手段を位置決めする位置決め手段を設けたものである。
【００１０】
さらに、請求項の発明５は、１つの前記挿入開口部に対応して、位置決め位置の異なる複数の前記位置決め手段を設けたものである。
【００１１】
請求項の発明６は、ライセンスプレートをバンパーに取り付けるライセンスプレートの取付構造において、前記バンパーに、取付手段を装着する取付部を設けると共に、この取付部の周囲に取付手段用挿入開口部を設け、前記挿入開口部から前記取付部に前記取付手段を装着し、この取付部に装着した取付手段に固定ねじを螺着して前記ライセンスプレートを取り付け、前記取付部には、前記取付手段を異なる位置に位置決めする複数の位置決め手段を設けたものである。
【発明の効果】
【００１２】
上記請求項１の構成によれば、複数の挿入開口部のいづれかから取付部に取付手段を装着することにより、取付部に設ける取付手段の位置が調整可能となる。これにより、ライセンスフレームを用いてライセンスプレートをバンパーに装着する際には、取り付けの自由度が向上し、バンパーと干渉しない位置にライセンスプレートを取り付けることができる。そして、従来のように別途スペーサなどの部品を必要とせずに、容易に取り付けることができるため、部品点数を削減できると共に、外観意匠性を向上できる。また、ライセンスプレートの後方にある通風路との位置調整も可能となる。
【００１３】
また、上記請求項２の構成によれば、挿入開口部を選択することにより、取付部における取付手段の高さ位置を調整でき、これによりバンパーにおける取付手段の高さ位置を任意に設定できる。
【００１４】
また、上記請求項３の構成によれば、クリップ部材により取付部を挟むようにして簡便に装着することができる。
【００１５】
また、上記請求項４の構成によれば、位置決め手段に取付手段を係合あるいは位置決め手段を基準とすることにより、取付手段の位置を正確に合わせることができる。
【００１６】
さらに、上記請求項５の構成によれば、１つの共通した挿入開口部から取付部に取付部材を装着する場合も、いずれかの位置決め手段により、異なる位置に位置決めして取付部材を装着することができる。
【００１７】
上記請求項６の構成によれば、挿入開口部から取付部に取付部材を装着する場合も、いずれかの位置決め手段に係合することにより、異なる位置に位置決め状態で取付部材を装着することができ、これにより取付手段を異なる位置に選択的に位置決めすることができる。
【発明を実施するための最良の形態】
【００１８】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規なライセンスプレートの取付構造を採用することにより、従来にないライセンスプレートの取付構造が得られ、そのライセンスプレートの取付構造について記述する。
【実施例１】
【００１９】
以下、本発明のライセンスプレートの取付構造の実施例について説明すると、図１〜図８は本発明の実施例１を示し、同図に示すように、車両のバンパー１の前面板２には、左右対称位置に取付部３，３を設け、これら取付部３，３は、ライセンスプレート111の左右の取付孔112，112に対応して設けられている。前記バンパー１は合成樹脂などから成形されている。尚、図中113は、ライセンスプレート111の枠となるライセンスフレームである。また、前記前面板２には、取付部３の上方および左右に、凸部２Ａが形成されている。
【００２０】
前記取付部３には、固定ねじ４を挿通する透孔５が穿設され、該取付部３は平板状に形成され、この取付部３の周囲に複数の取付手段用挿入開口部６，７を形成し、これら挿入開口部６，７は前記前面板２に開口して設けられている。この例では、前記透孔５は上下方向に長い長孔である。
【００２１】
次に、取付手段11について説明すると、この取付手段11は前記挿入開口部６，７のいずれかから前記取付部３に装着するものである。図１〜図３などに示すように、取付手段11は、クリップ部材12にねじ部13を一体に設けてなり、前記クリップ部材12は、ばね鋼などのばね性を有する板材を屈曲形成して一対の挟着片部14，15を有し、これら挟着片部14，15の間隔は先端側に向って僅かに幅狭になるように形成され、一方の挟着片部15の先端を外側に向けて案内部15Ａを形成し、その一方の挟着片部15の外面に筒体16を一体に設け、この筒体16内に前記ねじ部13が形成され、このねじ部13に対応して、両挟着片部14，15に貫通孔14Ｋ，15Ｋを形成し、貫通孔14Ｋは前記ねじ部13より径大に形成している。また、前記挟着片部14の幅方向両側が部分的に外側に広がって幅広部17が形成されている。
【００２２】
前記挿入開口部６は前記取付部３の横に設けられたものであり、一方、前記挿入開口部７は前記取付部３の下に設けられたものであり、両挿入開口部６，７を前記取付手段11の平面形状より大きくすることが好ましい。
【００２３】
前記取付部３の外面は、前記挟着片部14の厚さだけ、段差状の縁部により内面側に凹み、また、取付部３の内面は、ほぼ挟着片部14の厚さだけ、内面側に凹み、この取付部３は正面から見て略Ｔ字状をなす。そして、この取付部３を前記クリップ部材12が挟み付けて装着する。
【００２４】
前記挿入開口部６から取付部３に取付手段11を装着する場合、図３に示すように、前記取付部３の上部側において、上下方向の上縁部21Ｕと下縁部21Ｄとの間隔Ｋが前記幅広部17に対応している。したがって、図３中、左側の挿入開口部６から、取付手段11を取付部３に装着すると、取付部３に形成された上，下縁部21Ｕ，21Ｄに、幅広部17が案内され、取付部３の透孔５に、ねじ部13が上下方向において位置決めれる。このように前記上，下縁部21Ｕ，21Ｄは、取付手段11の上下方向位置を位置決めする位置決め手段である。尚、前記下縁部21Ｄは、左右に分かれている。
【００２５】
また、図１及び図５に示すように、取付部３の挿入開口部６側の縁は、前面側が傾斜する案内縁部22に形成され、装着状態で、クリップ部材12の基端側内面が前記案内縁部22に当接することにより、取付部３の透孔５に、ねじ部13が左右方向において位置決めれる。このように前記案内縁部22は取付手段11の左右方向位置を位置決めする位置決め手段である。そして、これら上，下縁部21Ｕ，21Ｄ及び案内縁部22により、ねじ部13が透孔５の上部側に位置決めされる。
【００２６】
前記挿入開口部７から取付部３に取付手段11を装着する場合、図６に示すように、前記取付部３の上部側において、上下方向の右縁部31Ｒと左縁部31Ｌとの間隔Ｋが前記幅広部17に対応している。したがって、図６中、下側の挿入開口部７から、取付手段11を取付部３に装着すると、取付部３に形成された右，左縁部31Ｒ，31Ｌに、幅広部17が案内され、取付部３の透孔５に、ねじ部13が左右方向において位置決めれる。このように右，左縁部31Ｒ，31Ｌは取付手段11の左右方向位置を位置決めする位置決め手段である。
【００２７】
また、図７に示すように、取付部３の挿入開口部７側の縁は、前面側が傾斜する案内縁部32に形成され、装着状態で、クリップ部材12の基端側内面が前記案内縁部32に当接することにより、取付部３の透孔５に、ねじ部13が上下方向において位置決めれる。このように前記案内縁部32は取付手段11の上下方向位置を位置決めする位置決め手段である。そして、これら右，左縁部31Ｒ，31Ｌ及び案内縁部32により、ねじ部13が透孔５の下部側に位置決めされる。
【００２８】
そして、ライセンスプレート111のみを取り付ける場合は、挿入開口部６から取付手段11を取付部３に装着し、図７に示すように、ライセンスプレート111の取付孔112，透孔５の上部を挿通した固定ねじ４を、ねじ部13に螺着して締め付け固定する。このように挿入開口部６から装着した場合は、ねじ部13が取付部３の上側となるから、バンパー１の凸部２Ａに沿ってライセンスプレート111を固定できる。
【００２９】
一方、ライセンスフレーム113を用いてライセンスプレート111を固定する場合は、ライセンスフレーム113はライセンスプレート111より大きいから、挿入開口部６から取付手段11を取付部３に装着し、この場合、図６に示すように、ねじ部13が取付部３の下側になるから、ライセンスフレーム113が凸部２Ａと干渉することなく、ライセンスプレート111を固定することができる。
【００３０】
尚、図４，図５，図７及び図８では、固定ねじ４を想像線で図示し、クリップ部材12は固定ねじ４が螺合する前の状態を図示している。
【００３１】
このように本実施例では、請求項１に対応して、ライセンスプレート111をバンパー１に取り付けるライセンスプレートの取付構造において、バンパー１に、取付手段11を装着する取付部３を設けると共に、この取付部３の周囲に複数の取付手段用挿入開口部６，７を設け、複数の挿入開口部６，７のいずれかから取付部３に取付手段11を装着し、この取付部３に装着した取付手段11に固定ねじ４を螺着してライセンスプレート111を取り付けてなるから、複数の挿入開口部６，７のいづれかから取付部３に取付手段11を装着することにより、取付部３に設けるねじ部13の位置が調整可能となる。これにより、ライセンスフレーム113を用いてライセンスプレート111をバンパー１に装着する際には、取り付けの自由度が向上し、バンパー１と干渉しない位置にライセンスプレート111を取り付けることができる。そして、従来のように別途スペーサなどの部品を必要とせずに、容易に取り付けることができるため、部品点数を削減できると共に、外観意匠性を向上できる。また、ライセンスプレート111の後方にある通風路との位置調整も可能となる。
【００３２】
また、このように本実施例では、請求項２に対応して、挿入開口部６，７を上下方向で異なる位置に複数設けたから、挿入開口部６，７を選択することにより、取付部３における取付手段11の高さ位置を調整でき、これによりバンパー１における取付手段11の高さ位置を任意に設定できる。
【００３３】
また、このように本実施例では、請求項３に対応して、取付手段11は、クリップ部材12にねじ部13を一体に設けてなるから、クリップ部材12により取付部３を挟むようにして簡便に装着することができる。
【００３４】
また、このように本実施例では、請求項４に対応して、取付部３には、取付手段11が係合して取付手段11を位置決めする位置決め手段たる上，下縁部21Ｕ，21Ｄ及び案内縁部22、左，右縁部31Ｌ，31Ｒ及び案内縁部32を設けたから、位置決め手段に取付手段11を係合あるいは取付手段11を基準とすることにより、ねじ部13の位置を正確に合わせることができる。
【００３５】
また、実施例上の効果として、位置決め手段を構成する上，下縁部21Ｕ，21Ｄ及び左，右縁部31Ｌ，31Ｒは、取付手段11の挟着片部14の厚さに対応する段部状に形成されたものであるから、取付状態で、取付手段11の外面とバンパー１の外面とがほぼ面一となる。また、基準部たる幅広部17を両側から挟むように位置決めする一対の上，下縁部21Ｕ，21Ｄ及び左，右縁部31Ｌ，31Ｒから位置決め手段を構成したから、位置あわせを容易に行うことができる。尚、上，下縁部21Ｕ，21Ｄの一方、左，右縁部31Ｌ，31Ｒの一方だけで位置決め手段を構成するよういしても良い。
【実施例２】
【００３６】
図９〜図１１は本発明の実施例２を示し、上記実施例１と同一部分に同一符号を付し、その詳細な説明を省略して詳述する。この例では、前記挿入開口部６を図中、取付部３の左側に配置し、また、実施例１に比べて挿入開口部７を大きく形成している。
【００３７】
このように挿入開口部７を大きくすることにより、取付手段11の装着作業が容易になり、また、バンパー１の後にラジエターなどがある場合、通風路を大きく確保することができる。
【実施例３】
【００３８】
図１２は本発明の実施例３を示し、上記各実施例と同一部分に同一符号を付し、その詳細な説明を省略して詳述する。この例では、前記挿入開口部６，７による取付位置のほぼ中間にねじ部13を取り付けるために、挿入開口部８を取付部３の周囲に設け、この例では、取付部３の右側で前記挿入開口部６より低い位置に前記挿入開口部８を設けている。
【００３９】
前記挿入開口部８から取付部３に取付手段11を装着する場合、図１２に示すように、前記取付部３の上部側において、上下方向の上縁部23Ｕと下縁部23Ｄとの間隔Ｋが前記幅広部17に対応している。この上縁部23Ｕは前記上縁部21Ｕより下方に位置し、前記下縁部23Ｄは前記下縁部21Ｄより下方に位置する。したがって、図１２中、右側の挿入開口部８から、取付手段11を取付部３に装着すると、取付部３に形成された上，下縁部23Ｕ，23Ｄに、幅広部17が案内され、取付部３の透孔５の中央に、ねじ部13が上下方向において位置決めれる。このように前記上，下縁部23Ｕ，23Ｄは取付手段11の上下方向位置を位置決めする位置決め手段である。そして、上，下縁部23Ｕ，23Ｄによりねじ部13は、挿入開口部６から装着した場合よりは下方で、挿入開口部７から挿入した場合よりは上方に位置決めされる。尚、図中、Ｓ31，Ｓ32，Ｓ33は、挿入開口部６，８，７から装着した場合のねじ部13の中心位置である。
【００４０】
また、取付部３の挿入開口部８側の縁は、前面側が傾斜する前記案内縁部22に形成され、装着状態で、クリップ部材12の基端側内面が前記案内縁部22に当接することにより、取付部３の透孔５に、ねじ部13が左右方向において位置決めれる。このように前記案内縁部22は取付手段11の左右方向位置を位置決めする位置決め手段である。そして、これら上，下縁部23Ｕ，23Ｄ及び案内縁部22により、ねじ部13が透孔５の上部側の位置Ｓ32に位置決めされる。
【００４１】
このように本実施例では、上下方向で異なる位置に複数の挿入開口部６，８，７を設けており、上記各実施例と同様な作用・効果を奏する。
【実施例４】
【００４２】
図１３〜図１４は本発明の実施例４を示し、上記各実施例と同一部分に同一符号を付し、その詳細な説明を省略して詳述する。この例では、上記各実施例に比べて取付部３及び透孔５を上下方向に長く形成し、また、取付部３の横に位置する挿入開口部６，８を上下方向に広く形成している。そして、この例では、透孔５において、上から中心位置Ｓ41，Ｓ42，Ｓ43，Ｓ44，Ｓ45に位置決めする。
【００４３】
図中右側の挿入開口部８は２つの位置決め手段を備え、この挿入開口部８から取付部３に取付手段11を装着する場合、図１３に示すように、前記取付部３の上部側において、左右方向の上縁部24Ｕと中上縁部24Ｍとの間隔Ｋが前記幅広部17に対応し、上縁部24Ｕと中上縁部24Ｍの中央位置が前記位置Ｓ41に対応する。また、取付部３の下部側において、左右方向の下縁部24Ｄと中下縁部24Ｎとの間隔Ｋが前記幅広部17に対応し、左右方向の下縁部24Ｄと中下縁部24Ｎの中央位置が前記位置Ｓ43に対応する。このように上縁部24Ｕと中上縁部24Ｍ，下縁部24Ｄと中下縁部24Ｎは、取付手段11の上下方向位置を位置決めする位置決め手段である。
【００４４】
図中左側の挿入開口部６も２つの位置決め手段を備え、この挿入開口部６から取付部３に取付手段11を装着する場合、図１３に示すように、前記取付部３の上部側において、左右方向の上縁部25Ｕと中上縁部25Ｍとの間隔Ｋが前記幅広部17に対応し、上縁部25Ｕと中上縁部25Ｍの中央位置が前記位置Ｓ42に対応する。また、取付部３の下部側において、左右方向の下縁部25Ｄと中下縁部25Ｎとの間隔Ｋが前記幅広部17に対応し、左右方向の下縁部25Ｄと中下縁部25Ｎの中央位置が前記位置Ｓ44に対応する。このように上縁部25Ｕと中上縁部25Ｍ，下縁部25Ｄと中下縁部25Ｎは、取付手段11の上下方向位置を位置決めする位置決め手段である。
【００４５】
図中下側の挿入開口部７から取付部３に取付手段11を装着すると、案内縁部22にクリップ部材12が係合してねじ部13が位置Ｓ45に位置決めされる。
【００４６】
このように複数箇所にねじ部13を位置決めできるから、例えば、大きさの異なるライセンスフレーム113への対応や、あるいは大きさの異なるナンバープレート111への対応が可能となる。例えば、日本のライセンスプレート111に比べて他の国のライセンスプレートが小さい場合であれば、位置Ｓ41のねじ部13で他の国のライセンスプレートを取り付け、位置Ｓ42のねじ部13でライセンスフレームを設けた他の国のライセンスプレートを取り付け、位置Ｓ43のねじ部13で日本のライセンスプレート111を取り付け、位置Ｓ44でライセンスフレーム113を設けた日本のライセンスプレート111を取り付け、位置Ｓ45で大型のライセンスフレーム113を設けた日本のライセンスプレート111を取り付けるなど、ライセンスプレート111の大きさとライセンスフレーム113の組み合わせ及び大きさに対応した取付が可能となる。
【００４７】
このように本実施例では、上記各実施例の効果に加えて、請求項５に対応して、１つの挿入開口部８に対応して、位置決め位置の異なる複数の位置決め手段たる上縁部24Ｕ及び中上縁部24Ｍ、中下縁部24Ｎ及び下縁部24Ｄを取付部３に形成して設け、１つの挿入開口部６に対応して、位置決め位置の異なる複数の位置決め手段たる上縁部25Ｕ及び中上縁部25Ｍ、中下縁部25Ｎ及び下縁部25Ｄを設けたから、１つの共通した挿入開口部８，６から取付部３に取付手段11を装着する場合も、いずれかの位置決め手段に係合あるいは位置決め手段を基準にすることにより、異なる位置に位置決めして取付手段11を装着することができる。
【００４８】
また、このように本実施例では、請求項６に対応して、ライセンスプレート111をバンパー１に取り付けるライセンスプレートの取付構造において、バンパー１に、取付手段11を装着する取付部３を設けると共に、この取付部３の周囲に取付手段用挿入開口部６，８を設け、取付手段11はねじ部13を有し、挿入開口部６，８から取付部３に取付手段11を装着し、この取付部３に装着した取付手段11に、ライセンスプレート111を固定ねじ４により取り付け、取付部３には、取付手段11が係合してねじ部13を異なる位置に位置決めする複数の位置決め手段たる上縁部25Ｕ及び中上縁部25Ｍ、中下縁部25Ｎ及び下縁部25Ｄを設けたから、挿入開口部６，８から取付部３に取付手段11を装着する場合も、いずれかの位置決め手段に係合することにより、異なる位置に位置決め状態で取付手段11を装着することができ、これによりねじ部13を設けた取付手段11を異なる位置に選択的に位置決めすることができる。
【００４９】
尚、本発明は上記実施形態に限定されるものではなく、本発明の要旨の範囲内において種々の変形実施が可能である。例えば、実施例では、車両の前側のバンパーを例に説明したが、車両の後側のパンバーにも適用可能なことは言うまでもない。さらに、実施例では、取付位置の高さ調整を行う場合について説明したが、左右位置の調整にも適用可能である。
【図面の簡単な説明】
【００５０】
【図１】本発明の実施例１を示す取付部回りの斜視図である。
【図２】同上、取付手段の図面であり、図２（Ａ）は背面図、図２（Ｂ）は側面図である。
【図３】同上、取付部回りの正面図であり、横の挿入開口部から取付部に取付部材を装着した状態を示す。
【図４】同上、取付部回りの縦断面図である。
【図５】同上、取付部回りの平断面図である。
【図６】同上、取付部回りの正面図であり、下の挿入開口部から取付部に取付部材を装着した状態を示す。
【図７】同上、取付部回りの縦断面図である。
【図８】同上、取付部回りの平断面図である。
【図９】本発明の実施例３を示す取付部回りの正面図である。
【図１０】同上、取付部に取付部材を装着する工程を説明する要部の斜視図である。
【図１１】同上、バンパーにライセンスプレートを取り付ける工程を説明する要部の斜視図である。
【図１２】本発明の実施例４を示す取付部回りの斜視図である。
【図１３】本発明の実施例５を示す取付部回りの正面図である。
【図１４】同上、図１３のＡ−Ａ線断面図である。
【図１５】従来例のライセンスプレートの取付工程を説明する斜視図である。
【図１６】同上、要部の断面図である。
【符号の説明】
【００５１】
１  バンパー
２  前面
３  取付部
４  固定ねじ
５  透孔
６  挿入開口部
７  挿入開口部
11  取付手段
12  クリップ部材
13  ねじ部
21Ｕ  上縁部（上下の位置決め手段）
21Ｄ  下縁部（上下の位置決め手段）
22  案内縁部（左右の位置決め手段）
23Ｕ  上縁部（上下の位置決め手段）
23Ｄ  下縁部（上下の位置決め手段）
24Ｕ，25Ｕ  上縁部（上下の位置決め手段）
24Ｄ，25Ｄ  下縁部（上下の位置決め手段）
24Ｍ，25Ｍ  中上縁部（上下の位置決め手段）
24Ｎ，25Ｎ  中下縁部（上下の位置決め手段）
31Ｌ  左縁部（左右の位置決め手段）
31Ｒ  右縁部（左右の位置決め手段）
32  案内縁部（上下の位置決め手段）
111  ライセンスプレート
112  取付孔
113  ライセンスフレーム
【図１】
2006015927.tif 000003
【図２】
2006015927.tif 000004
【図３】
2006015927.tif 000005
【図４】
2006015927.tif 000006
【図５】
2006015927.tif 000007
【図６】
2006015927.tif 000008
【図７】
2006015927.tif 000009
【図８】
2006015927.tif 000010
【図９】
2006015927.tif 000011
【図１０】
2006015927.tif 000012
【図１１】
2006015927.tif 000013
【図１２】
2006015927.tif 000014
【図１３】
2006015927.tif 000015
【図１４】
2006015927.tif 000016
【図１５】
2006015927.tif 000017
【図１６】
2006015927.tif 000018